(57)【要約】【課題】施工後のマーキングシートの透過色、質感、マーキングシートの組み合わせ効果などを正確かつ簡単に確認・体験することのできる装置を提供すること。【解決手段】前方が開口２とされ、後方に光源装置が設置された奥板１１を有する筒状ボックスからなり、該筒状ボックスの枠板６に、透明板にマーキングシートが貼付されたカラープレートあるいはデザインプレートを前記開口の開口面と平行方向に差し込むためのスリット状開口部７、８、９、１０が設けられているマーキングシートの視認装置である。【選択図】図１
0003143338.tif 000002
【実用新案登録請求の範囲】
【請求項１】
前方が開口とされ、後方に光源装置が設置された奥板を有する筒状ボックスからなり、該筒状ボックスの枠板に、透明板にマーキングシートが貼付されたカラープレートあるいはデザインプレートを前記開口の開口面と平行方向に差し込むためのスリット状開口部が設けられているマーキングシートの視認装置。
【請求項２】
前記筒状ボックスが方形とされ、前記スリット状開口部が前記筒状ボックスの枠板の側板または天板に設けられていることを特徴とする請求項１に記載のマーキングシートの視認装置。
【請求項３】
前記スリット状開口部は複数設けられており、該スリット状開口部の少なくとも一つは一のスリットに複数のカラープレートあるいはデザインプレートが挿入可能とされていることを特徴とする請求項２に記載のマーキングシートの視認装置。
【請求項４】
前記光源装置が、蛍光灯、白熱灯またはＬＥＤであり、該光源装置は点燈手段に接続され、点燈、消燈可能とされていることを特徴とする請求項１〜３のいずれかに記載のマーキングシートの視認装置。
【請求項５】
前記蛍光灯、白熱灯またはＬＥＤは照明強度の異なるものから選択されたものであることを特徴とする請求項４に記載のマーキングシートの視認装置。
【請求項６】
前記カラープレートあるいはデザインプレートは、透明板上にマーキングシートが貼り込まれたものであり、少なくとも前記筒状ボックスの空洞部を遮蔽する幅と長さを有することを特徴とする請求項１に記載のマーキングシートの視認装置。
【請求項７】
前記カラープレートあるいはデザインプレートの前記スリット状開口部への挿入方向長さは、筒状ボックスの挿入方向長さより長いことを特徴とする請求項６に記載のマーキングシートの視認装置。
【請求項８】
前記筒状ボックスには光源装置からの放出された熱を逃がすための開口が設けられていることを特徴とする請求項１〜７のいずれかに記載のマーキングシートの視認装置。
【請求項９】
前記マーキングシートの視認装置が壁面に取り付けられていることを特徴とする請求項１〜８のいずれかに記載のマーキングシートの視認装置。
【請求項１０】
前記マーキングシートの視認装置が光厳守の異なる複数の視認装置の組み合わせからなることを特徴とする請求項９に記載のマーキングシートの視認装置。
【考案の詳細な説明】
【技術分野】
【０００１】
本考案は、透明板に貼り込まれたマーキングシートの背後から光源装置を用いて照明し、該マーキングシートの透過状態の効果、例えば透過色、質感などを見ることができる、あるいは複数のマーキングシート図形の重ね効果を見ることができるマーキングシートの視認装置に関する。
【背景技術】
【０００２】
従来、着色されたあるいは無色半透明の粘着シートからなるマーキングシートを、カッティングマシンなどを用いて文字や図形状にカッティングし、これをガラス、プラスチック、金属、木材、セメント表面に貼着することにより、ショーウインドウの飾りつけ、看板の作成、入り口ドアなどへの会社名の表示、室内、室外での壁面への表示あるいは装飾、調度品の装飾などを行うことが広くなされている。この他にも、マーキングシートを部屋の間仕切りに用いられるガラス面に貼付して目隠しとして用いることも行われている。さらに、スリガラス調とされたマーキングシートなどは、外光の室内への入射量を減少させるシールドシートとしても利用されている。
【０００３】
前記マーキングシートは、例えば、カッティングシート、ＮＯＣＳ２５００、フォグラス、スーパーマテリオ（いずれも株式会社中川ケミカルより市販；「ＮＯＣＳ」、「カッティングシート」、「フォグラス」、「スーパーマテリオ」はいずれも登録商標）など、種々の商品名で既に広く市販されている。マーキングシートは、通常、ベースシートの一面に粘着層が設けられ、粘着層の保護のため粘着層表面には剥離紙が貼り付けられて構成されている。ベースシートは、例えば３０〜５００μｍ、より一般的には５０〜２００μｍ程度の膜厚を有する、着色プラスチックシート、アルミニウムなどの金属が蒸着されたプラスチックシート或いは無色の透明または半透明プラスチックシートから構成されている。前記着色ベースシート及び金属蒸着ベースシートは、背面からの照明により光を通すものと、光を通さないものが市販されており、使用目的に応じ適宜使い分けられている。前記ベースシートを構成するプラスチック材料としては、ポリ塩化ビニル系樹脂、ポリエチレンテレフタレートなどのポリエステル系樹脂、ポリエチレン系樹脂、ポリプロピレン系樹脂、アクリル系樹脂、ポリカーボネート系樹脂、ポリウレタン系樹脂、シリコーン系樹脂、フッ素系樹脂などの合成樹脂の単一物、ブレンド物などが代表的なものである。ベースシートの層構成は通常単層であるが、ラミネートなどの複合層から構成されていてもよい。無色の透明あるいは半透明樹脂シートをベースシートとするフォグラスは、必要に応じ細かい白色顔料粉が混入された透明樹脂シート表面に微細な凹凸が形成され、これによりスリガラス調とされ、シートを通して透過像を観察した際、少し離れた場所に置かれた物体が明確に視認できないようにされている。また、本考案で用いられるマーキングシートは、金属シートがベースシートとされているものでもよいし、ベースシートと粘着層が別々に供給され、結果としてベースシートが粘着層により透明板に貼り込まれるよう構成されているものでもよい。
【０００４】
市販されているＮＯＣＳ２５００は、１，０００ｍｍあるいは１，０１０ｍｍ幅、２０ｍ巻で、カッティングシートは、Ｌ寸は９２０ｍｍ幅、２０ｍ巻、Ｒ寸は４５０ｍｍ幅１２ｍ巻が通常仕様とされている。また、フォグラスは、１，３００ｍｍ幅、２０ｍ巻などとされている。これらマーキングシートは、従来、手工的にあるいはカッティングマシンにより文字や図形状にハーフカット（ベースシート及び粘着層はカットされるが、剥離紙の背面までのカットはされない）され、カッティングされたベースシートと粘着層を剥離紙から剥離し、このカッティングされて文字状あるいは図形状パターンとされた着色されたベースシートを、ガラス、プラスチック、金属、木材、セメント表面などに貼着することにより、文字、図形、模様などを基材上に形成するものである。また、間仕切りなどの目隠しなどでは、貼付対象となる透明基板全面に貼付されることもある。
【０００５】
マーキングシートは、前記のとおり装飾目的、表示目的、看板、遮蔽、などとして用いられていることが多く、このため貼付対象基材がガラス、プラスチックなどの透明基板とされ、また反射光及び透過光により観察されるようにされているものが多い。マーキングシートが装飾目的で用いられるような場合には、背面からの照明による光によって透過したマーキングシートの透過色を利用することも多いが、このマーキングシート透過色及び質感は、マーキングシートを背後から照明している光源の種類、例えば光源が蛍光灯であるか、白熱灯であるか、ＬＥＤであるか、蛍光灯でも昼光色であるか、電燈色であるか、白色光であるか、青白色光であるか、さらにその光量などによっても影響を受け、同じマーキングシートを用いても光原種が異なれば同じ色、同じ質感とは感じられないのが現実である。また、このマーキングシートの透過色、質感は、マーキングシートの前面側を照明する照明光の種類、明るさなどによっても、大きく異なる。
【０００６】
このため、施工業者はこのような施工場所の背面並びに正面からの種々の条件をも考慮して、経験に基づいてどのような色のマーキングシートを用いるか工事依頼者に説明することになるが、工事依頼者からその色を説明されても、使用されるマーキングシートの透過色について十分なイメージが湧かず、施工後の装飾がどのように見えるのか正確にイメージできないのが現状である。このため、説明場所での照明光にマーキングシートをかざし、透過色を確認するのが一般的であるが、このときの光源は、実際にマーキングシートが貼付される場所における照明光とは、光源の種類も強度も異なることが一般的であり、このような方法によっても、施工後のマーキングシートの色を正確に確認することは難しい。また背面照明光としてどのようなものを採用したときに、装飾効果が最大に発揮できるかイメージもできない。さらに、複数のマーキングシートが同時に用いられるような場合、これら複数のマーキングシートの配色効果や、カッティングされたマーキングシートの重ね合わせによる装飾効果について、背面照明光の違いによる効果をも含め予め正確にイメージすることは、経験豊かな施工業者にとっても難しく、ましてや施工を依頼する経験の浅い、あるいは経験のほとんどない者にとっては至難の技である。
【考案の開示】
【考案が解決しようとする課題】
【０００７】
このように、現状では施工後の装飾状態がどのようなものになるかを正確に工事依頼者に説明する手段がなく、施工業者が工事依頼者に施工後の情報を正確に伝えることは難しく、説明に多大の時間を要すると共に、説明をしたからといって依頼者が正確に工事後の装飾状態をイメージ・把握できないことが多いのが現状である。工事依頼者は施工業者の説明などにより自分がイメージした施工後の装飾状態をもとに看板やショーウインドウ、その他室内装飾などの施工を依頼しているが、看板や装飾が完成した後に、施工前にイメージした状態と異なることも多々あった。
【０００８】
本考案は、上記した従来の問題に対応するためになされたもので、カッティングシート、ＮＯＣＳ、フォグラス、スーパーマテリオなど、種々のマーキングシートを用いた装飾や表示、特にマーキングシートを背面から照明することにより観察するような装飾、表示などの施工にあたり、工事依頼者への説明の際、あるいは施工の宣伝、セールスの際に、工事依頼者、更には施工業者をも含めて、施工後のマーキングシートの透過色、質感などを正確かつ簡単に確認してもらうことのできる装置を提供することを目的とするものである。
【０００９】
また、本考案は、複数のマーキングシートを用い、これら複数のマーキングシートの重ね合わせ効果、特にカッティングされた複数のマーキングシートの重ね合わせ効果を、直接視認することのできる装置を提供することを目的とするものである。
【課題を解決するための手段】
【００１０】
上記目的を達成するための本考案の装置は、前方が開口とされ、後方に光源装置が設置された奥板を有する筒状ボックスからなり、該筒状ボックスの枠板に、透明板にマーキングシートが貼付されたカラープレートあるいはデザインプレートを前記開口の開口面と平行方向に差し込むためのスリット状開口部が設けられているマーキングシートの視認装置である。
【００１１】
前記マーキングシートの視認装置おいては、カラープレートあるいはデザインプレートを差し込むためのスリット状開口部は、必要に応じ複数設けられる。また、光源種を異にする視認装置を複数用意し、これら複数の視認装置を一体システムとして利用することもできるマーキングシートの視認装置にも関する。
【考案の効果】
【００１２】
本考案においては、次のような効果が得られる。しかし、これらの効果は本考案のマーキングシートの視認装置における効果の一例にすぎず、さらに使用方法によっては種々の効果が奏される。
【００１３】
（１）本考案のマーキングシートの視認装置を用いることにより、光源種の異なる光に対するマーキングシート素材の透過色、質感などを直接視認することができ、これによりそのマーキングシートを利用する際の実際の色、質感などが誰にも容易に体感でき、マーキングシートを用いて装飾などを行う際の施行後の色、質感などのイメージを容易に確認することができる。
【００１４】
（２）また、例えば視認装置の光源種が異なる他の視認装置を用い、さらにこの異なる光源種に対する同じマーキングシートに対する透過色、質感を見ることにより、光源種の違いによるマーキングシートの透過色、質感の違いを容易に体感でき、マーキングシートによるデザイン、出来上がり状態での効果などを考える際の参考とすることができる。
【００１５】
（３）また、光源種の異なる視認装置を、例えば壁面などに複数設置しておけば、同じカラープレートを同時に複数照明することができ、光源種の違いによる同じカラープレートの透過色、質感などの違いを一目で確認することができる。また、同じカラープレートが存在しない場合には、一つのカラープレートをある視認装置に挿入して、このカラープレートに対する透過色、質感を見た後、引き続き他の光源種を有する視認装置により同じカラープレートの透過色、質感を見ることにより、光源種による該カラープレートの透過色、質感などを容易に比較することができる。
【００１６】
（４）また、本考案の視認装置において、スリットを筒状ボックスの筒方向に複数設けておき、この複数のスリットにそれぞれ異なるデザインプレートを挿入することにより、これらデザインプレートの重ね効果を見ることができる。このときデザインプレートあるいはカラープレートの挿入位置の変更、デザインプレートあるいはカラープレートの変更、光源種の変更により、マーキングシートの様々な色、パターン、質感と光との無限の組み合わせ、重ねの効果などの検証が容易に行える。
【考案の実施の形態】
【００１７】
本考案のマーキングシートの視認装置における筒状ボックスは、前記のとおり全面が開口され、この開口と反対面に位置する、カラープレートあるいはデザインプレートを照明するための光源装置を取り付けるための奥板、及び筒部を形成する側板からなっている。また、筒状ボックスの筒形状は、丸、楕円、三角形、四角形（例えば方形）、五角形以上の多角形、あるいはこれらの形状の組み合わせなど任意の形状でよい。しかし、本考案の装置がマーキングシートの様々な色、パターン、質感を確認するために用いられるものであること、またカラープレートあるいはデザインプレートを差し込むためのスリットを形成することが必要で、このスリットの形成しやすさなどから、オーソドックスな形状である四角形とすることが好ましい。またボックスの内面は白色とすることが好ましい。さらに、ボックスの材質、厚みは熱などにより変形せず、カラープレートあるいはデザインプレートを差し込んだ際の重量に耐え、外からの力で容易に変形しないものであればいずれでもよく、木材、プラスチック、デコラ、金属など任意のものでよい。また筒状部は一体に形成されてもよいし、別体の部材から構成してもよい。
【００１８】
前記マーキングシートの視認装置の奥板に設置される光源としては、従来看板、ショーウインドウ、室内照明、装飾用のライティングボックスなどで用いられている任意の光源を用いることができ、例えば昼光色、電球色、白色、青白色などの種々の光色の蛍光灯、白熱灯、ＬＥＤなどがあげられ、また光源の光の強さも市販の任意のワット数のものを用いることができる。これら光源装置は、筒状ボックスの開口部と反対側の面をなす奥板に取り付けられ、奥板には必要であれば反射面が取り付けられてもよいし、奥板表面を白色として反射面としてもよい。また、光源装置からの発熱に対応するため、必要に応じ奥板、あるいは光源装置上部のボックス板に開口部を設け、光源から放出された熱によりボックス材やカラープレートあるいはデザインプレートが影響されないようにすることが好ましい。
【００１９】
また、マーキングシートの視認装置の筒部のマーキングシートを差し込むために用いられるスリット状開口部は一つでもよいし、複数設けられてもよい。スリット状開口部を複数設けることにより、それぞれの位置にプレートを差し込むことで、光源から異なった距離のプレートの見え方を確認できるし、複数枚のプレートを同時に差し込むことにより、色、パターン、質感の様々な組み合わせを見ることができ、更にプレートを差し替えれば無限の組み合わせの効果を簡単に実験できる。スリット状開口部の幅及び長さは、挿入されるカラープレートあるいはデザインプレートの厚み及び幅に対応した大きさとされればよい。また、一つのスリット開口部に複数のカラープレートあるいはデザインプレートを挿入できるように、スリット状開口部の幅を複数のプレートの厚みに対応する幅に設定してもよい。さらに、カラープレートあるいはデザインプレートの筒状ボックスへの差し込み方向は、横方向からの差し込みでも縦方向からの差し込みでもよい。また、スリット状開口部に対応した筒状ボックス内壁面、例えばカラープレートあるいはデザインプレートが横方向から差し込まれる場合には筒状ボックスの底面板及び天井板の内壁面に、また例えばカラープレートあるいはデザインプレートが縦方向から差し込まれる場合には両側面板の内壁面に、カラープレートあるいはデザインプレートをガイドするための溝を形成することが好ましい。一つのスリット状開口部に複数のカラープレートあるいはデザインプレートが挿入されるよう設計されている場合には、溝は挿入可能なプレート枚数に対応する数だけ設けられることが好ましい。またスリット状開口部が設けられた板、例えばスリット状開口部が側板の一方に設けられている場合、これに対向する側板にも溝を設けておくことが好ましい。なお、スリット状開口部は、これまで説明したように同一側板にのみ設けられてもよいが、必要であれば両側板に設けられてもよい。
【００２０】
本考案のマーキングシートの視認装置に用いられるカラープレートあるいはデザインプレートは、透明板に、例えば図形状にカッティングされたあるいはカッティングされていないマーキングシートが貼付されたものが用いられる。透明板の材質は、樹脂、ガラスなど透明である限りどのようなものでもよいが、一般的には透明性、破損しにくさ、耐久性、価格などの点から樹脂板、特に透明アクリル板を用いることが好ましい。透明板の厚みは、板に破損やゆがみが起こらない強度を有する限りどのような厚みでもよいが、例えばアクリル板を用いる場合であれば、２ｍｍ程度のものを用いれば十分である。またアクリル板の幅は、筒状ボックスに設けられたスリット状開口部の大きさに対応した大きさとされればよく、挿入方向の長さは、プレートを挿入及び引き抜きする際にプレートを把持できるように、筒状ボックスの挿入方向の長さ以上の長さとされることが好ましい。
【００２１】
本考案において用いられるカラープレートあるいはデザインプレートに適用されるマーキングシートは、カッティングシート、ＮＯＣＳ、フォグラス、スーパーマテリオなど市販のどのようなものでもよく、前記したようにマーキングシートが筒状ボックスの空洞部を全て覆うような幅及び長さで全面に貼付されてもよいし、その一部であってもよい。本考案におけるカラープレートとは、マーキングシートがデザイン的にカットされることなく貼付されたものをいう。一方、デザインプレートは、マーキングシートをラインやドットのように様々なパターンにカットして貼り込んだものをいう。デザインプレートは通常一種のマーキングシートが貼り込まれるが、必要であれば複数種のマーキングシートが貼り込まれてもよい。カラープレートに張り込まれるマーキングシートは照明光が透過するものであることが必要であるが、デザインプレートに張り込まれるマーキングシートは、照明光が透過せず、反射するようなものであってもよい。また、つまみ部を構成する透明板部に、該プレートに貼り込まれているマーキングシートの商品名、品番、プレートを整理する際の整理番号などの情報を明記することにより、本考案の視認装置を用いて色、質感などを確認したマーキングシートの商品名、品番等が即座に分かるし、反対に特定の商品名、品番のマーキングシートの素材の透過色、質感を即座に体感することができる。また整理番号により、多数のプレートを保管、管理する際の便を図ることができる。
【００２２】
先に述べたように、光源種を変えた複数の本考案のマーキングシート視認装置を壁面に取り付け、種々のカラープレート、デザインプレートを準備しておくことにより、マーキングシートの様々な色、パターン、質感と光との組み合わせや、重ねの効果などを、必要なときに何時でも見ることができる。また、マーキングシートの透過色や質感は外光の光源種、強度によっても大きく影響を受ける。したがって、前記視認装置を見る場所の照明を複数の光源種を切り替えることにより行うことができるようにすることにより、さらに施行を意図した場所におけるマーキングシートの正確な透過色、質感が得られる。本考案者は、このような複数のマーキングシート視認装置、それにセットするカラープレート及びデザインプレート、さらに必要であればこの視認装置が設置された場の照明装置をも含めたシステムをＣＳカレイド・システムと命名した。
【実施例】
【００２３】
本考案のマーキングシートの視認装置及びこの視認装置を用いたＣＳカレイド・システムを、以下図面１〜６を参照しつつ詳細に説明する。しかし、以下の説明は、単に好ましい一例を示すに止まるもので、本考案の視認装置及びＣＳカレイド・システムが以下に説明するものに限定されるものではない。
【００２４】
まず、本考案のマーキングシートの視認装置から説明する。図１は、本考案のマーキングシートの視認装置の外観斜視図であり、図２は、図１の視認装置に６枚のカラープレートが装着された状態での断面図であり、図３はカラープレートの一例の平面図を、また図４はデザインプレートの一例の平面図である。
【００２５】
図１において、視認装置１は、天板３、側板４、６、底版５及び奥板１１からなる、筒の外径が１９４×１８５ｍｍ、奥行きが２３６ｍｍの、前面に開口２を有する筒状ボックスから構成されている。側板６には４箇所にカラープレートあるいはデザインプレートを差し込むためのスリット状開口部７、８、９、１０が開けられており、これらスリット状開口部のうち、スリット状開口部７、９はカラープレートあるいはデザインプレートを１枚差し込むことができる大きさとされ、スリット状開口部８、１０はカラープレートあるいはデザインプレートを２枚差し込むことができる大きさとされている。各スライド状開口部７、８、９、１０に対応して、天板３、底板５及び側板４には、溝７１、８１、８２、９１、１０１及び１０２が設けられている。前記側面のスリット状開口部は、一番手前に一溝、奥に向かって４０ｍｍの位置に二溝、さらに４２ｍｍ奥に一溝、更に４２ｍｍの場所に二溝で合計六溝ある。そして、それぞれの位置にプレートを差し込むことで、光源から６種の異なった距離のプレートの見え方を確認できるし、２〜６枚のプレートを同時に入れて、色、パターン、質感の様々な組み合わせを見ることができ、プレートを差し替えることで無限の組み合わせの効果を簡単に実験できるものである。また図１の視認装置においては、図２に示されるように奥板にＬＥＤ１２が４個取り付けられ、カラープレートあるいはデザインプレート用の照明光源装置とされている。図１の視認装置の例においては、天板２に光源装置の発熱によるボックス内の温度上昇を防止するために、排熱用開口１４が設けられている。なお、光源装置は、ＬＥＤではなく、白熱灯、あるいは蛍光灯とされてもよい。このときには、光源装置である白熱灯あるいは蛍光灯の発光位置をＬＥＤの発光位置と合わせるため、ボックスの奥行きを３８１ｍｍと、ＬＥＤを用いる場合より深くされる。さらに、排熱用開口は天板でなく奥板に設けてもよい。
【００２６】
一方、図３及び図４に示されたカラープレート２１及びデザインプレート２６を構成する透明板は、Ｂ４の大きさ、厚みが２ｍｍのアクリル板２２が用いられており、このアクリル板に、カラープレートの場合には、筒状ボックスの空洞部を全て覆う広さでベタにカッティングシート２３が貼り込まれている。また、デザインプレートの場合には、筒状ボックスの空洞部を全て覆う広さに適宜の形状にカッティングされたカッティングシート２７が貼り込まれている。前記したように、カッティング形状はどのようなものでもよく、文字でも、ラインやドットなどからなる図形でもよいし、図形も幾何学模様でも非幾何学模様でもよい。また張り込みに用いられるマーキングシートは、上記カッティングシートの他に、ＮＯＣＳ、フォグラス、あるいは金属フィルムであるスーパーマテリオなどいずれのものでもよい。カラープレート、デザインプレートは予め種々のものを作成しておき、またこれら各プレートには、張り込まれたカッティングシートなどの商品名、品番など商品情報２４、２８、その他必要に応じ整理番号２５、２９を入れておくことにより、商品へのアクセス、プレートへのアクセス、収納、整理が容易になる。
【００２７】
なお、上記例においては、具体的に寸法を記載したが、本考案の視認装置の寸法、形状が上記具体的に例示したものに限定されないことはいうまでもないことである。また図は本考案の説明を行うために、正確な縮尺とされているものではない。
【００２８】
本考案の視認装置を用いてカラープレートあるいはデザインプレートを見る場合、カラープレートあるいはデザインプレートを視認装置のいずれかのスリット開口に差し込み、マーキングシートを光源により照明する。挿入される枚数は、例えばある一種のマーキングシートの透過色を確認する場合には、該当する商品の貼り込まれたカラープレート一枚をいずれかのスリット状開口部に差し込めばよい。また、複数のカラープレートあるいはデザインプレートの組み合わせ効果を確認する場合には、複数枚のデザインプレートを適宜のスリット状開口部に挿入すればよい。
【００２９】
図２は、６枚のカラープレートあるいはデザインプレート挿入されている視認装置１の断面図である。図２の例において、例えば、開口部に一番近いスリット状開口部にスリガラス調のフォグラスが貼り込まれたカラープレートを挿入し、他のスリット状開口部に文字や図形の張り込まれたデザインプレートを挿入すれば、スリガラス上に文字や図形が重ねあわされたような像を見ることができる。また、例えば、開口部に一番近い溝と一番遠い溝に光反射性のデザインプレートを挿入することにより、中間にあるデザインシートが前記光反射性のデザインプレートの反射面で反射され、奥行きの深いデザインを見ることができる。さらに、２枚のカラープレートあるいはデザインプレートの重ね合わせ効果を見るような場合、２枚のプレートが挿入できる同じスリット状開口部８あるいは１０に挿入すれば、近接状態での重ね合わせ効果を見ることができるし、離れたスリットに挿入すれば、離間した状態での重ね合わせ効果を見ることができる。それぞれの位置にプレートを入れることで、光源から６種の異なった距離のプレートの見え方を確認できるし、２〜６枚のプレートを同時に入れて、色、パターン、質感の様々な組み合わせを見ることができ、プレートを差し替えることで無限の組み合わせの効果を簡単に実験できる
【００３０】
先に述べたように、マーキングシートの透過色、質感などは、照明光の種類、強度によっても異なる。光源種の異なる複数の本考案の視認装置を作成しておき、前記カラープレートを異なる視認装置で見ることにより、照明光の種類の異なりによるマーキングシートの透過色、質感などを実際に体感することができ、これから設計しようとする装飾模様などにおけるイメージを、施行後の装飾模様などの色及び質感と一致させることができるし、複数のカラープレートあるいはデザインプレートの重ね合わせ効果の確認もできる。施行業者と依頼者が共に同じ情報を共有することで、デザイン設計におけるマーキングシートの選択が容易になるし、また施工業者の依頼者への説明も簡単に済ますことができる。また依頼者側にとっては、出来上がったときに依頼したものとの違いのない装飾効果の実現を図ることができる。
【００３１】
本考案のマーキングシートの視認装置を用いたＣＳカレイド・システムについて、以下、図５及び６を用いて説明する。図５は、壁面に４７個の本考案の視認装置を取り付ける際の取り付け場所を□で示したものである。一つ一つの四角が各々本考案の１つのマーキングシートの視認装置を示している。また、枠内に光源種が記載されているが、左６列は光源としてＬＥＤを用いた視認装置を、真ん中６列は光源として蛍光灯を用いた視認装置を、右６列は光源として白熱灯を用いた視認装置が配列されており、光源のワット数も必要に応じ異なるものとされている。各々の視認装置はそれぞれ別々の点燈装置に接続されており、利用しようとする場所の視認装置のみ点燈、消燈可能とされている。図６はこれら壁面に取り付けられた視認装置の断面図であり、本考案の視認装置は壁面に埋め込まれた状態とされている。開口部から壁面までは２００ｍｍとされている。また、カラープレート棚を照らす照明光によっても、色の見え方は大きく異なることから、ＣＳカレイド・システムにおいては、室内の天井は、ハロゲンランプ及び蛍光灯が取り付けられており、室内照明を切り替えることにより、使用環境によるマーキングシートの色の見え方の違いを確認することができる。このように、ＣＳカレイド・システムにより、マーキングシートの種類による違い、光源種による違い、光源との距離やかさねなど無限の組み合わせを自由に体験することができる。
【図面の簡単な説明】
【００３２】
【図１】本考案のマーキングシートの視認装置の外観斜視図である。
【図２】図１の視認装置に６枚のカラープレートが装着された状態での断面図である。
【図３】カラープレートの一例の平面図である。
【図４】デザインプレートの一例の平面図である。
【図５】ＣＳカレイド・システムにおける壁面へのマーキングシートの視認装置の取付配置図である。
【図６】図５の配置におけるマーキングシートの視認装置の断面図である。
【符号の説明】
【００３３】
１  マーキングシートの視認装置
２  開口
３  天板
４、６  側板
５  底板
７、８、９、１０  スリット状開口部
７１、８１、８２、９１、１０１、１０２  溝
１１  奥板
１２  ＬＥＤ
１３  配線
１４  排熱用開口
２１  カラープレート
２２  透明アクリル板
２３  カッティングシート
２４、２８  商品番号
２５、２９  整理番号
２６  デザインプレート
２７  図形状のカッティングシート
【図１】
0003143338.tif 000003
【図２】
0003143338.tif 000004
【図３】
0003143338.tif 000005
【図４】
0003143338.tif 000006
【図５】
0003143338.tif 000007
【図６】
0003143338.tif 000008